(57)【要約】      （修正有）【課題】夜間時、非常時、停電時でも作業及び活動に必要な照明を確保でき、社会厚生的な生産性向上を可能にできる照明灯固定装置を提供する。【解決手段】ぬいぐるみの基体１０の腹部に時計本体６を収納した時計本体の収納箱を時計の表示体５がぬいぐるみの基体１０の表面と一致する程度に埋め込み、時計本体の収納箱７のすぐ上方に、オン・オフ／スイッチ３と照明灯１と照明灯１を外傷から守る風防２を一体に収納する一体型収納箱３を、オン・オフ／スイッチのボタン部分と風防２をぬいぐるみ本体１０の表面より突出させて埋め込み、一方、ぬいぐるみの背中部から腰部にかけて設けたジッパー９を開き、該ぬいぐるみの基体１０の内部に充電可能電池を収納した収納箱８を埋め込み固定する。【選択図】図４
0003184664.tif 000002
【実用新案登録請求の範囲】
【請求項１】
基体の正面に時計本体を収納した時計本体の収納箱を時計の表示板が基体の表面と一致する程度に埋め込み、時計本体の収納箱のすぐ上方に、オン・オフ／スイッチと照明灯と照明灯を外傷から守る風防を一体に収納する一体型収納箱を、オン・オフ／スイッチのボタン部分と風防を基体の表面より突出させて埋め込み、一方、基体の反対側に設けたファスナージッパーを開き、該基体の内部に充電可能電池を収納した収納箱を埋め込み固定し、オン・オフ／スイッチと照明灯と電池収納箱とは電線により動作できるように配線されている、照明灯固定装置。
【請求項２】
上記の［請求項１］の効能を幅広く日常化させるための方策として、児童，学生徒、ＯＬ等の通勤、通学に使用する透明な定期入れ又はＩＤカード類を基体の背面等に設置し、非常時に備えた照明灯を常時携帯している貴重な役割を提供し、更に基体に内蔵する予備電池、又は充電器を使用し長時間にわたる照明を提供する、照明灯固定装置
【考案の詳細な説明】
【技術分野】
【０００１】携帯型照明灯を設置した各種器具等に関する。
【背景技術】
【０００２】傘、筆記具等に小型照明灯を設置した従来技術（特許文献１，２）及び一般的な携帯電灯はあるが、いずれも点灯中は傘、筆記具及び一般的な携帯電灯等を片手で保持又は操作の常時必要な義務から逃れられず、両手を駆使できない不自由な状態での非常時、停電時、又は平常時での夜間等における屋内、屋外での作業及び活動を実施しなければならないという、社会的に非効率な環境及び不都合な制約を解消できていない。【０００３】日常使用している身近なバッグ、ポーチ、ポセット、鞄、袋物、ぬいぐるみ又はマスコット類等にプラスチック製風防付照明灯とオン・オフ／スイッチがそれぞれの基体から突出した形態で設置されていれば、停電時、非常時又は平常時の夜間等における室内、室外での身近な照明灯として貴重な社会的な役割を果たせるがそのための技術は存在しない。【０００４】又、護身用ぬいぐるみ（特許文献、４）の考案によれば、豆電球をぬいぐるみに内蔵させるため、その照明範囲及び照明力は限定的でその効果は小さい。
一般的な懐中電灯を特殊ベルトに固定するためにピン類を挿入する技術（特許文献３））では、複雑で煩雑な工具とベルトの製造及びピン類を挿入する取扱上の複雑で煩雑な操作とを必要とする技術は存在するが、その使用に当たっては、非常時、停電時又は平常時の夜間等において二種類のピン類を２箇所に挿入する複雑な操作上での不都合を解消できず、特に幼児、老人、身体障害者、加療中の患者等には欠かせない簡単で円滑な操作を提供できない制約と不都合を解消する技術は存在しない。
【先行技術文献】
【特許文献】
【０００５】
【特許文献１】特開平１１−７８０２
【特許文献２】実用新案登録第３１３０４３９号
【特許文献３】実用新案登録第３１１８９６６号
【特許文献４】実開  平６−２２７９４
【考案の概要】
【考案が解決しようとする課題】
【０００６】従来技術に依存した携帯電灯を片手で常時保持しなければならない夜間での操作上の制約と不都合を解消できる課題、介護施設及び病院棟内等での介護実施者や医療関係者等が夜間に介護作業、医療作業を実施する際に片手が開放され、自由で独立した両手での作業及び活動を円滑に遂行できる環境を革新的に創出できる課題、又夜間時、非常時、停電時でも作業及び活動に必要な照明を確保でき、社会厚生的な生産性向上を可能にできる課題、夜間時、非常時、停電時に於いて、屋内、屋外での小型照明灯として貴重な役割を社会的に果たせる課題。
【課題を解決するための手段】
【０００７】バッグ、ポーチ、ポセット、ランドセル、リュックサック、鞄、袋物、ぬいぐるみ、マスコット等に長さ調節可能な紐類又はストラップ類、ハンガー類、ピン類及びクリップ類等の連係材または係止材を装着した基体の正面側に時計本体を収納した時計本体の収納箱を時計の表示板が基体表面と一致する程度に埋め込み、時計本体の収納箱のすぐ上方に、オン・オフ／スイッチと照明灯と照明灯を外傷から守る風防を一体に収納する一体型収納箱を、オン・オフ／スイッチのボタン部分と風防を基体の表面より突出させて埋め込み、一方、基体の背面内部には充電可能電池、予備電池又は充電器を収納した収納箱を埋め込み固定し、オン・オフ／スイッチと照明灯と電池収納箱とは適切な通電がなされるように電線を結線し、電池、予備電池、又は充電器の出し入れは基体背面或いは内部に設けたファスナージッパーの開閉で行うようにする。
【考案の効果】
【０００８】バッグ、ポーチ、ポセット、鞄、袋物、ぬいぐるみ又はマスコット等のそれぞれの基体にプラスチック製風防付照明灯、オン／オフ・スイッチの一体型収納箱、電池ＢＯＸ、予備電池収納箱又は充電器収納箱を設置させることにより、安定的に長時間にわたる照明を確保でき、基体に附着した吊下げ用紐類又はストラップ類、ハンガー類、ピン類又はクリップ類等で身体又は被服の任意な部位に基体を簡単に連係及び固定化させることが出来、夜間の屋内外での作業及び活動に必要な長時間にわたる照明と又自由な両手の確保を可能とし、夜間の屋内外での作業環境及び活動環境の大幅な改善をもたらし、社会的生産性向上に多大に貢献できるプラスチック製風防付照明灯を提供する。【０００９】又、屋内外での一般的な夜間の作業及び活動に際しては、身体又は被服の随意部位に連係、又は係止されたプラスチック製風防付照明灯を装着したバッグ、ポーチ、ポセット、ランドセル、リュックサック、鞄、袋物、ぬいぐるみ又はマスコット等により安定的で長時間にわたる照明を確保し、携帯電灯を片手で常時保持する義務から解放された両手を駆使し、災害救助作業、避難救助作業、等の非常時に於ける屋内外での活動環境及び作業環境の画期的な改善及び社会的生産性の多大な向上を提供し、更に、停電時には屋内外での身近で使い勝手のよい長時間にわたる照明を可能とする小型照明灯として便利な役割を提供する。【００１０】消費者特に婦人、子供が夜間に屋外で歩行あるいはランニングを行う際、プラスチック製風防付照明灯を装着したバッグ、ポーチ、ポセット、リュックサック、ランドセル、袋物、ぬいぐるみ又はマスコット等のそれぞれの基体を身体又は被服の任意の部位に係止、附着させれば、心強い防犯灯としての社会的な役割を提供する。【００１１】従来考案された護身用ぬいぐるみ（特許文献４）は、豆電球がぬいぐるみ内部に設置され、その照明範囲と照明力の効果は限定され小さいが、本考案は基体表面に突出したプラスチック製風防付光源による照明であるため、その照明範囲、照明力及び照明時間を革新的に改善、向上させる役割を提供する。【００１２】本考案により、非常時に長時間にわたって必要な照明の確保は、それぞれの基体内に予備用充電可能電池及び充電器の収納箱を設置し、予備用充電可能電池の交換によるか、又は充電器を屋内外の電源取り出し装置又は自動車の電源取り出し装置等に接続する充電操作により、継続的な照明確保を可能にできる利便性を新たに提供する。【００１３】この考案は、プラスチック製風防付照明灯とオン／オフのスイッチとの一体型収納容器の設置により、オン／オフ・スイッチの操作で、従来型の携帯電灯の操作上又は常時携帯の必要性に拘束されていた片手を開放し、夜間の屋内外で自由な両手の駆使を可能にする技術を新たに提供する。【００１４】プラスチク製風防付照明灯とオン・オフスイッチの一体型収納容器と充電可能電池ＢＯＸ、予備電池収納ケース及び充電器収納箱が、バッグ、ポーチ、ポセット、鞄、袋物、ぬいぐるみ又はマスコット等のそれぞれの基体に収納され、基体の背面又は内部の開口部に開閉用のファスナーを設置し、電池の充電、又は予備電池、及び充電器の出し入れをファスナーの操作により容易に且つ頻繁に実施できる技術を提供する。【００１５】バッグ、ポーチ、ポセット、鞄、袋物、ぬいぐるみ又はマスコット等のそれぞれの基体の外観を維持させ、基体の型崩れ等による美観喪失等を防ぐための基体内の支持物の役割を果たすため、プラスチック製又は金属製の一体型収納容器及び交換可能電池ＢＯＸと予備電池収納ケース及び充電器収納箱とを支持物として強固な接着剤等で設置する技術を提供する。【００１６】本考案により、夜間に携帯電灯を常時片手で保持しなければならない従来技術の持つ制約から脱し、夜間でも容易に且つ確実に介護分野又は医療分野での社会厚生的な作業及び活動ができるために自由に操作できる両手を開放、確保し、且つ夜間での前方向に必要な長時間にわたる照明を提供し、夜間での画期的な作業環境及び活動環境を創出する社会厚生的な生産性の革新的な向上を図り、又夜間の一般的な屋内外での活動及び災害救助活動や避難活動でもその長時間にわたる機能が社会厚生上の画期的な効果を発揮できる。【００１７】又本考案により、夜間の帰宅時等に歩行する際、プラスチック製風防付照明灯付きバッグ、ポーチ、ポセット、鞄、袋物、ぬいぐるみ又はマスコット等の基体に附着した吊下げ用紐類、ストラップ類、クリップ類、ハンガー類、又はピン類等の連係材、又は係止材を身体又は被服の随所に附着、及び固定化し、前方向の照明を長時間にわたって確保、維持すれば、安全な歩行を確保し、又ひったくり、盗難、痴漢等の犯罪を予防するための安全防犯上の社会的な貢献をできる技術を提供する。【００１８】更に、停電時には、室内外で身近で携帯可能な小型照明灯として長時間にわたる室内外での照明確保の役割を果たす技術を提案する。【００１９】一方において、特殊に製造されたベルトに携帯電灯に二種類のピンを挿入し固定化させながら照明角度を調整するための複雑で煩雑な夜間もしくは停電時での取り扱い作業と、複雑な工具類及びベルトの製造等の社会的非生産性を惹起する従来技術（特許文献３）に依存するのでなく、一般的に普及し製造されているバッグ、ポーチ、ポセット、鞄、袋物、ぬいぐるみ又はマスコット等の基体を活用でき、新たな製造設備、複雑な構成部品等を不要とした、経済的生産性の高い発明により社会的且つ経済的生産性に優れた産業上の優れた効果を発揮する。【００２０】一般的に多くの消費者に親しまれている、バッグ、ポーチ、ポセット、鞄、袋物、ぬいぐるみ又はマスコット等の基体を援用でき、複雑で煩雑な製造工程から発生する製造原価を回避可能であり、消費者の受容を促進、拡大でき、低価格の実現により、この新しい多くの利便性の普及が可能な産業上の活性化効果を持つ。
【図面の簡単な説明】
【００２１】
【図１】本考案の、時計付きぬいぐるみにプラスチック製風防付照明灯とオン・オフ／スイッチとを設置した完成品の正面図である。
【図２】本考案の時計付きぬいぐるみ内部に設置された充電可能電池の交換を平易に実施するために基体の背面に開口部の設置とその開閉用ファスナーを備えた、完成品の背面図である。
【図３】本考案の、時計付きぬいぐるみに設置される、プラスチック製風防付照明灯、オン・オフ／スイッチ、２本の充電可能電池、その収容箱をそれぞれ分解した斜視図である。
【図４】本考案の、プラスチック製風防付き照明灯、オン・オフ／スイッチ、及びその一体型収納箱、充電可能電池用収納ボックス等をそれぞれ収納した実施例としての時計付きぬいぐるみの一部横断面図である。
【考案を実施するための形態】
【００２２】図面に基づいてこの考案の実施形態を、ぬいぐるみを実施例として以下に説明する。
【００２３】本実施例はぬいぐるみの基体１０をパンダのぬいぐるみとし、そこに本考案の照明灯を固定したものであり、ぬいぐるみの基体１０の腹部に時計本体６を収納した時計本体の収納箱を時計の表示体５がぬいぐるみの基体１０の表面と一致する程度に埋め込み、時計本体の収納箱７のすぐ上方に、オン・オフ／スイッチ３と照明灯１と照明灯１を外傷から守る風防２を一体に収納する一体型収納箱３を、オン・オフ／スイッチのボタン部分と風防２をぬいぐるみ本体１０の表面より突出させて埋め込み、一方、ぬいぐるみの背中部から腰部にかけて設けたジッパー９を開き、該ぬいぐるみの基体１０の内部に充電可能電池を収納した収納箱８を埋め込み固定する。
このジッパー９は電池交換の時に開閉する目的のものである。なお、オン・オフ／スイッチ３と照明灯１と電池収納箱８とは電線により動作できるように配線されている。
【００２４】風防２はぬいぐるみの基体１０より一段と突出した位置にあるので、照明灯１の照明範囲の拡幅及び照明力の強化に寄与し、夜間作業に従事する病院関係者又は介護関係者にはナース用時計として貴重な役割を果たす。
【００２５】また、オン／オフ・スイッチ、プラスチック製風防付照明灯の一体型収納箱、電池収納箱及び予備電池収納箱、充電器収納箱又は小物収納箱が、柔らかい基体の内部支持構造物の役割を果たし、支持構造物を欠く場合に生じる基体の型崩れ及び美観の損傷を防ぎ、又基体の持続的な強度を確保する
【００２６】本考案は、上記実施例に限定されず、身体及び被服の随意部位及び帽子、ステッキ、等に連係又は係止できる長さ調整可能な紐類又はストラップ類、ハンガー類、ピン類あるいはクリップ類等の係止材を附着したプラスチック製風防付き照明灯、オン／オフ・スイッチの一体型収納箱と充電可能電池用ＢＯＸ、予備電池収納箱、充電器収納箱又は小物収納用箱とを設置したハンドバッグ、ポーチ、ポセット、リュックサック、ランドセル、カバン、袋物、ぬいぐるみ又はマスコット、ブローチ兼ペンダント等にも適用できるものである。
【００２７】なお、照明灯としては近年目覚ましい勢いで認知され電力消費量が少なく且つ明るいＬＥＤ照明灯を使用することが望ましいが、もちろんＬＥＤ以外の照明灯でもよい。
【産業上の利用可能性】
【００２８】夜間に両手を開放でき、又必要な前方向の照明を長時間にわたって確保できる画期的な利便性を備えた携帯照明灯を考えた時、一般的に普及愛用されているバッグ、ポーチ、ポセット、袋物、ぬいぐるみ又はマスコット等を援用することで新規投資が抑制でき、低価格での製造が実現でき、親しみやすいキャラクター商品の延長線上の新規商品として、老若男女を問わず多くの消費者にこの発明の新しく数ある利便性をより簡略に受容及び普及でき、且つ新しく潜在市場を開拓でき、新規産業としての成長性を具現化する産業上の期待ができる。【００２９】夜間での介護作業、又は医療作業の業務遂行上、必要な時間中に前方面を任意な位置から固定的な長時間にわたる照明ができるこの本考案の普及により、介護作業及び医療作業で必要とされる貴重な両手の開放を確保し、それぞれの作業効率を飛躍的に向上させる新規商品として新規の製造・販売事業として成長を可能とし、社会厚生的な生産性向上、改善を可能とし、新規の製造、販売事業として成長を可能とする産業上の課題を解決が期待できる。【００３０】又夜間での長時間にわたる災害救助活動及び避難活動に際し、身体もしくは被服の各部位に連係もしくは係止自在な吊下げ用紐類又はストラップ類、ハンガー類、ピン類、クリップ類等々の係止材が附着した基体に設置した照明灯を使用し、必要時間内の前方向の固定的な長時間にわたる照明を確保し、自由な両手を駆使しながら、それぞれの活動の円滑な遂行を大幅に拡大、改善できる新規商品として製造・販売を可能とし、新規成長産業として期待できる。
【符号の説明】
【００３１】１――――電球
２――――風防
３――――オン・オフ／スイッチ
４――――風防付電球及びオン・オフ／スイッチの一体型収納箱
５――――時計の表示体
６――――時計本体
７――――時計本体の収納箱
８――――充電可能電池の収納箱
９――――開口部の開閉用ジッパー
１０―――ぬいぐるみの基体
【図１】
0003184664.tif 000003
【図２】
0003184664.tif 000004
【図３】
0003184664.tif 000005
【図４】
0003184664.tif 000006